【事件の表示】
　特願２０００−　５８８４０「浴室暖房装置」拒絶査定不服審判事件〔平成１３年　９月　７日出願公開、特開２００１−２４１６８５〕について、次のとおり審決する。
【結　論】
　本件審判の請求は、成り立たない。
【理　由】
１．手続の経緯・本願発明
　本願は、平成１２年３月３日の特許出願であって、原審において、平成１５年１２月１日付けで拒絶理由通知がなされ、平成１６年１月２９日付けで意見書及び手続補正書が提出されたが、平成１６年４月２２日付けで拒絶査定がなされ、これに対し、平成１６年６月１０日付けで審判請求がなされ、平成１６年７月６日付けで、同審判請求書を補正対象とする手続補正がなされたものである。
　そして、その請求項１ないし８に係る発明は、上記平成１６年１月２９日付け手続補正により補正され明細書及び図面の記載からみて、その特許請求の範囲の請求項１ないし８に記載された事項により特定される次のとおりのものである。
「　【請求項１】
　空気を加熱する加熱手段と、該加熱手段により加熱された空気を浴室に送風する送風手段と、所定の暖房条件に従って前記加熱手段と前記送風手段の作動を制御する暖房運転を行なう暖房制御手段とを有して浴室内に設置される暖房装置本体と、前記暖房制御手段に対して浴室外から前記暖房運転の開始と停止を指示する浴室外スイッチとを備えた浴室暖房装置において、
　前記暖房装置本体に又は前記暖房装置本体と延長コードで接続して設けられ、前記暖房制御手段に対して前記暖房運転の開始を指示する浴室内スイッチを備えたことを特徴とする浴室暖房装置。
　　【請求項２】
　前記暖房制御手段は、前記浴室内スイッチによる前記暖房運転の開始の指示に応じて前記暖房運転の実行を開始した後、前記浴室内スイッチが操作される毎に前記暖房条件を変更することを特徴とする請求項１記載の浴室暖房装置。
　　【請求項３】
　前記暖房制御手段は、前記浴室内スイッチによる前記暖房運転の開始の指示に応じて前記暖房運転の実行を開始した後、前記浴室内スイッチが所定回数操作されたときに、前記暖房運転を停止することを特徴とする請求項２記載の浴室暖房装置。
　　【請求項４】
　前記暖房条件を浴室外から前記暖房制御手段に指示する暖房条件指示スイッチを有し、前記暖房装置本体は該暖房条件指示スイッチから指示された前記暖房条件を記憶する暖房条件記憶手段を有して、
　前記暖房制御手段は、前記浴室内スイッチにより前記暖房運転の開始が指示されたときに、前記暖房条件記憶手段に記憶された前記暖房条件に従って、前記暖房運転を開始することを特徴とする請求項１から請求項３のうちいずれか１項記載の浴室暖房装置。
　　【請求項５】
　前記暖房運転において、前記送風手段により浴室内に放出される熱量が次第に減少するように、前記暖房条件を所定のタイミングで段階的に変更する暖房条件変更手段を有し、
　前記浴室内スイッチによる前記暖房運転の開始の指示に応じて、前記暖房制御手段が前記暖房運転を開始した後、前記浴室内スイッチが操作されたときに、前記暖房条件変更手段は、前記暖房条件を次の段階に強制的に変更することを特徴とする請求項１記載の浴室暖房装置。
　　【請求項６】
　前記浴室暖房装置は、前記暖房運転を含む複数の種類の運転を選択的に実行する機能を有し、
　運転停止中に前記浴室内スイッチが操作されたときに該複数の種類の運転の何れかの実行を開始し、その後、前記浴室内スイッチが所定時間以上継続して操作される毎に実行する運転の種類を前記複数の種類の運転の間で順次切換え、また、前記浴室内スイッチが前記所定時間よりも短い時間継続して操作されたときは実行中の運転を停止する運転切換制御手段を備えたことを特徴とする請求項１記載の浴室暖房装置。
　　【請求項７】
　前記浴室内スイッチは前記暖房装置本体に備えられ、前記浴室内スイッチを前記暖房装置本体の下方位置から操作可能とする延長部材を設けたことを特徴とする請求項１から請求項６のうちいずれか１項記載の浴室暖房装置。
　　【請求項８】
　前記延長部材を介して前記浴室内スイッチが操作されたことを報知する報知手段を備えたことを特徴とする請求項７記載の浴室暖房装置。」
　
　
２．引用例に記載された発明
　これに対して、原査定の拒絶の理由に引用された
刊行物１：特開平９−２７３７６１号公報
には、次のａ〜ｊの記載がある。
ａ．「【００１１】
【発明の実施の形態】
〔第１実施形態〕図１は、本発明による熱供給システムを備えた風呂用給湯装置を示し、この風呂用給湯装置には、浴槽１を備えた浴室Ｃと、浴室Ｃ内を空調する端末機としての浴室乾燥暖房機Ａと、浴室乾燥暖房機Ａと浴槽１に給湯する熱源機Ｂとが設けられ、
浴室Ｃの天井側に設けた浴室乾燥暖房機Ａには脱衣室等から操作する
乾燥暖房機リモコンＡ１が
屋外に設けた熱源機Ｂには
浴室Ｃ内から操作する浴室リモコンＢ２とが
接続されている
　
ｂ．「【００１２】図２は風呂用給湯装置の詳細を示し、浴室乾燥暖房機Ａには、この
浴室乾燥暖房機Ａの作動を制御する
マイクロコンピュータを主要部とする乾燥暖房機制御部Ａ２が備えられ
　
ｃ．「【００２５】前記給湯用動作部Ｄと温水循環用動作部Ｅと追焚用動作部Ｆの作動は、熱源機制御部Ｂ３により、予め記憶されている制御プログラムに基づいて制御され、浴室乾燥暖房機Ａの作動は、乾燥暖房機制御部Ａ２により、予め記憶されている制御プログラムに基づいて制御されるように構成され、熱源機制御部Ｂ３と乾燥暖房機制御部Ａ２は双方向に通信可能に接続されていている。」
　
ｄ．「【００２６】前記浴室乾燥暖房機Ａは、図３，図４に示すように、吸気口４８と吹出口４９を備えたケーシング５０内に、吸気口４８から浴室Ｃ内の空気を導入して
吹出口４９からその浴室Ｃ内に戻す循環ファン５１
循環される空気を加熱する乾燥暖房用熱交換器２７
乾燥暖房用熱交換器２７への温水の供給を断続する熱動弁７５
【００２７】前記浴室空気循環路５２の循環ファン５１よりも空気循環方向下手側で、かつ、乾燥暖房用熱交換器２７よりも空気循環方向上手側には、その浴室空気循環路５２の空気を屋外に排出する為の排気ダクト５３が接続され、その排気ダクト５３との接続部には、浴室空気循環路５２に導入した空気を浴室１内に戻す循環空気量と、浴室空気循環路５２に導入した空気をその途中から排気ダクト５３で屋外に排出する排出空気量との割合を変更調節可能な電動式の可動ダンパー５４が設けられている。」
　
　ｅ．「【００２８】図５は風呂用給湯装置の制御ブロック図を示し、
熱源機制御部Ｂ３と乾燥暖房機制御部Ａ２は、
互いに双方向に通信可能に接続されている
浴室リモコンＢ２は
有線
で熱源機制御部Ｂ３と
通信可能に接続され
乾燥暖房機リモコンＡ１は
有線
で乾燥暖房機制御部Ａ２と
通信可能に接続されている
【００２９】
前記メインリモコンＢ１と浴室リモコンＢ２、並びに、乾燥暖房機リモコンＡ１の各々には
熱源機Ｂの運転を操作する為の熱源機操作パネル７０
浴室乾燥暖房機Ａの運転を操作する為の乾燥暖房機操作パネル７１とが設けられている
【００３０】前記熱源機操作パネル７０には、熱源機Ｂの運転の開始及び停止を指令する人為操作式の熱源機運転指令部としての風呂運転スイッチ５５と、一般給湯温度設定部５６と、給湯用動作部Ｄの自動湯はりモードによる運転の開始及び停止を指令する人為操作式の給湯指令部としての自動湯はりスイッチ５７と、浴槽湯温設定部５８と、自動追焚スイッチ５９と、各スイッチ５５，５７，５９の操作状態や給湯温度設定部５６又は浴槽湯温設定部５８で設定した設定温度等を表示する液晶式の熱源機ディスプレイ７２が設けられ、一般給湯温度設定部５６と浴槽湯温設定部５８が、給湯用動作部Ｄの給湯温度を設定する給湯温度設定部に構成され、熱源機ディスプレイ７２が熱源機Ｂの運転状態を表示する熱源機運転表示部に構成されている。
【００３１】また、
前記乾燥暖房機操作パネル７１には、浴室乾燥暖房機Ａの運転停止を指令する人為操作式の運転停止スイッチ６０と
予備暖房運転モードによる運転を開始する為の予備暖房運転スイッチ６１と
浴室Ｃの目標室内温度を設定する目標温度設定部６６と
が設けられ
【００３２】そして、
いずれのリモコンＢ１，Ｂ２，Ａ１の熱源機操作パネル７０又は乾燥暖房機操作パネル７１を操作しても
熱源機Ｂと浴室乾燥暖房機Ａの運転を操作できるように構成されている
　
　ｆ．「【００３３】次に、熱源機制御部Ｂ３による制御動作を、一般給湯モードと自動湯はりモードと自動追焚モードとに分けて説明する。前記一般給湯モードは、いずれかのリモコンＢ１，Ｂ２，Ａ１の風呂運転スイッチ５５をＯＮ操作して、例えば給湯栓２を開くことにより実行され、給水路６を設定値以上の水が通流したことを水量センサ１１で検出すると、給湯用燃焼ファン５を駆動するとともに、給湯用ガス供給路１５の断続弁１７を開け、かつ、電磁比例弁１６を調整して、イグナイタで給湯用バーナ３に着火する。
【００３４】そして、給湯用熱交換器４で加熱された後の湯は、ミキシング弁９でバイパス路８からの水と混合されて給湯栓２から吐出され、このとき、給湯サーミスタ１３による湯温の検出結果に基づいてミキシング弁９が制御されて、給湯栓２から吐出される湯の温度が給湯温度設定部５６で設定された温度に維持されるようにしてある。
【００３５】前記自動湯はりモードは、風呂運転スイッチ５５がＯＮ操作されている状態でいずれかのリモコンＢ１，Ｂ２，Ａ１の自動湯はりスイッチ５７がＯＮ操作されると実行され、風呂電磁弁４２を開いて、一般給湯モードと同様に、給湯用熱交換器４で加熱されてミキシング弁９で温度調節された後の湯が、図２の破線矢印で示すように、追焚用戻り路３４から風呂アダプタ３６を介して浴槽１内に供給される。
【００３６】この自動湯はりモードにおいては、風呂サーミスタ３８による湯温の検出結果に基づいてミキシング弁９が制御されて、浴槽湯温設定部５８で設定された温度の湯が供給され、浴槽１に所定量の湯が供給されたことを水位センサ４０が検出すると、風呂電磁弁４２を閉じるとともに、給湯用ガス供給路１５の電磁比例弁１６を閉じて給湯用バーナ３の燃焼を停止して湯はりを停止し、一定時間経過後に給湯用燃焼ファン５の駆動も停止する。」
　
ｇ．「【００４０】
前記乾燥暖房機制御部Ａ２は
運転スイッチ６０がＯＮ操作されると
運転停止処理を実行し
予備暖房運転スイッチ６１がＯＮ操作されると
予備暖房運転モードによる制御を実行し
【００４１】そして、
予備暖房運転モード
では
乾燥暖房機制御部Ａ２は
浴室Ｃ内の温度が目標温度設定部６６で設定された目標温度になるように浴室乾燥暖房機Ａの作動を制御し
　
ｈ．「【００４２】
前記予備暖房運転モードでは
温度センサ７４の検出温度と目標温度との偏差を演算して
その偏差が７℃以上である場合は
熱動弁７５を開くとともに
循環ファン５１を駆動する
【００４３】そして、運転時間設定部６５で設定した設定時間がタイムアップすると（＃１７）、温水循環停止指令Ｈを熱源機制御部Ｂ３へ送信し（＃１８）、熱動弁７５を閉じるとともに（＃１９）、循環ファン５１の駆動を停止して暖房運転を終了する（＃２０）。」
　
ｉ．「【００４５】従って、
予備暖房運転モードでは
暖房運転中は、浴室Ｃ内の温度を目標温度に維持するように熱動弁７５
が制御される
　
ｊ．「【００４６】前記換気運転モードでは、図４に示すように、浴室空気循環路５２に導入した空気の略全部を排気ダクト５３から屋外に排出する位置に可動ダンパー５４を移動させるとともに、循環ファン５１の駆動を開始して、浴室Ｃ内を換気する換気運転を開始し、運転時間設定部６５で設定した設定時間がカウントアップされると、又は、運転停止スイッチ６０が操作されるとその換気運転を終了する。
【００４７】前記涼風運転モードでは、図３に示すように、浴室空気循環路５２に導入した空気の一部を排気ダクト５３から屋外に排出する位置に可動ダンパー５４を移動させるとともに、循環ファン５１の駆動によりその循環ファン５１を通風作動させて、浴室空気を乾燥暖房用熱交換器２７で温めずに循環通風させる涼風運転を開始し、運転時間設定部６５で設定した設定時間がカウントアップされると、又は、運転停止スイッチ６０が操作されると、循環ファン５１の駆動停止により通風作動を停止してその涼風運転を終了する。」
　
　したがって、これらのａ〜ｊの記載から明らかなように、刊行物１には、
「空気を加熱する乾燥暖房用熱交換器２７と、該乾燥暖房用熱交換器２７により加熱された空気を浴室Ｃに戻す循環ファン５１と、目標温度設定部６６で設定された目標温度になるように前記乾燥暖房用熱交換器２７へ温水の供給を断続する熱動弁７５と前記循環ファン５１の作動を制御する予備暖房運転を行なう乾燥暖房機制御部Ａ２とを備える浴室乾燥暖房機Ａと、
　前記乾燥暖房機制御部Ａ２に対し、脱衣室から前記予備暖房運転の開始と停止を指示する、乾燥暖房機リモコンＡ１に設けられた予備暖房運転スイッチ６１及び運転スイッチ６０と、
　有線で熱源機制御部Ｂ３と通信可能に接続され、この熱源機制御部Ｂ３を介して、前記乾燥暖房機制御部Ａ２に対して前記予備暖房運転の開始を指示する、浴室リモコンＢ２に設けられた予備暖房運転スイッチ６１と、
からなり、浴室Ｃ内の暖房運転を行う装置。」
という発明が記載されている。
　
　
３．対比・判断
（１）対比
　本件の請求項１に係る発明（以下「本件発明」という。）を、刊行物１に記載された発明と対比すると、刊行物１に記載された発明における
・乾燥暖房用熱交換器２７ 、
・循環ファン５１
・乾燥暖房機制御部Ａ２、
・浴室乾燥暖房機Ａ、
・乾燥暖房機リモコンＡ１に設けられた予備暖房運転スイッチ６１及び運転
　スイッチ６０、
・浴室リモコンＢ２に設けられた予備暖房運転スイッチ６１、
は、本件発明の
・加熱手段、
・送風手段、
・暖房制御手段、
・暖房装置本体、
・浴室外スイッチ、
・浴室内スイッチ、
にそれぞれ相当すると認められる。
　
（２）一致点
　したがって、両発明は、
「空気を加熱する加熱手段と、該加熱手段により加熱された空気を浴室に送風する送風手段と、所定の暖房条件に従って前記加熱手段と前記送風手段の作動を制御する暖房運転を行なう暖房制御手段とを有する暖房装置本体と、前記暖房制御手段に対して浴室外から前記暖房運転の開始と停止を指示する浴室外スイッチとを備えた浴室暖房装置において、
　前記暖房制御手段に対して前記暖房運転の開始を指示する浴室内スイッチを備えたことを特徴とする浴室暖房装置。」
で一致する。
　
（３）相違点
　そして、両発明は、次のＡ及びＢの２点で相違する。
《相違点Ａ》
　本件発明は、暖房装置本体が「浴室内に設置され」ている。
　これに対し、刊行物１に記載された発明では、（本件発明の暖房装置本体に相当する）浴室乾燥暖房機Ａが、浴室Ｃ内に設置されていない。
　
《相違点Ｂ》
　本件発明では、浴室内スイッチが「前記暖房装置本体に又は前記暖房装置本体と延長コードで接続して設けられ」ている。
　これに対し、刊行物１に記載された発明では、（本件発明の浴室内スイッチに相当する）「浴室リモコンＢ２に設けられた予備暖房運転スイッチ６１」が浴室乾燥暖房機Ａに設けられておらず、また、浴室乾燥暖房機Ａと延長コードで接続して設けらてもいない。  
　
（４）相違点についての検討
《相違点Ａについての検討》
“暖房機を浴室内に設置する”ことは周知の技術にすぎない。
　（もし、周知文献が必要であれば、
　　・特開平８−４２９６５号公報
「【００１６】
【実施例】以下、本発明を図示された実施例に基づいて詳述する。
浴室暖房乾燥機は
浴室１２内に設置される
　　　　　　　　　　・・・・・
【００１７】ハウジング１は浴室内天井隅部に設置可能となるように図２、図３に示されるように断面形状が略直角三角形状となっており、」
「【図３８】
浴室内への設置状態
　　・特開平１０−４７７００号公報
「【００１４】図２は、図１に示した既設の浴室Ａに、壁掛け式の温風暖房機４をその
浴室内
　　・特開平１１−３３７１５２号公報
「【００２０】図１、図２に示すように、浴室ａの側壁側から送風されるように
浴室ａの側壁上方に乾燥装置本体１が設置され
　　　　　　　　　　・・・・・
【００２２】図３は装置本体１の概略断面図であり、
この装置本体１には、装置本体１下部に設けた吸込口９から浴室ａ内の空気の一部を吸い込み
吹き出し口４から浴室ａ内に空気を吹き出す
等を参照。）
　そして、この周知技術を、刊行物１に記載された発明に組み合わせることは当業者であれば容易である。
　
　
《相違点Ｂについての検討》
　刊行物１に記載された発明では、（本件発明の浴室内スイッチに相当する）「浴室リモコンＢ２に設けられた予備暖房運転スイッチ６１」が浴室乾燥暖房機Ａとコードで接続されておらず、代わりに、有線で（コードで）熱源機制御部Ｂ３と通信可能に接続されている。（刊行物１の上記引用箇所２．ｅ．段落【００２８】及び【００２９】の下線を付した箇所を特に参照。）そのため、同スイッチ６１はこの熱源機制御部Ｂ３を介して間接的に、前記乾燥暖房機制御部Ａ２へ対して前記予備暖房運転開始の指示を与える。
　そうすると、このように接続され、「浴室リモコンＢ２に設けられた予備暖房運転スイッチ６１」が、間接的に前記乾燥暖房機制御部Ａ２へ指示を与えるのか、それとも、同スイッチ６１が有線で前記乾燥暖房機制御部Ａ２に接続され、同スイッチ６１が直接的に前記乾燥暖房機制御部Ａ２へ指示を与えるようにするのかは、当業者であれば適宜選択可能な事項であると言うべきである。
　したがって、上記相違点Ｂにおける本件発明の構成のように「（浴室内スイッチが）前記暖房装置本体に又は前記暖房装置本体と延長コードで接続して設けられ」とすることは当業者であれば容易である。
　
　
（５）発明の効果についての検討
　本件発明の効果は、刊行物１に記載された発明及び上記の周知技術に基づいて当業者が容易に推測できた程度のものである。
　
　
４．むすび
　以上のとおりであるから、本件発明は、刊行物１に記載された発明及び上記の周知技術に基づいて当業者が容易になし得たものであり、特許法第２９条第２項の規定により特許を受けることができない。
　したがって、本件の請求項２ないし８に係る発明については検討するまでもなく、本件出願は拒絶すべきものである。
　よって、結論のとおり審決する。